Podtech/llm-jp-corpus-v4-ja_patent huggingface dataset:
(57)【要約】      （修正有）【課題】収納し易く、風で飛ばされ難いレジャーシートを提供する。【解決手段】レジャーシート大きさに合わせシートの端に重石ポケット１，２を数箇所取り付け砂、石を入れる事によって風が吹いても捲くれ上がらなくなり、飛ばされなくなる様にした。また、収納袋を取り付け、荷物を収納出来る様にした。【選択図】図１
2005103202.tif 000002
【特許請求の範囲】
【請求項１】
レジャーシートの大きさに合わせ重石ポッケトを数箇所取り付けた事を特徴とするシート
【請求項２】
レジャーシートに収納袋を取り付けた事を特徴とするシート
【発明の詳細な説明】
【技術分野】
【０００１】この発明はレジャーシート、及びシートの形状の付加仕様に関する。
【背景技術】
【０００２】従来のレジャーシートは一枚のシートを敷くだけの物だった。
【発明の表示】
【発明が解決しようとする課題】
【０００３】しかしながら従来のレジャーシートは風が吹くと捲くれ上がったり、飛ばされたりした、従来固定ピンが付属されている物も有ったがピンが無くなったり、場所によってはピンが刺さらなかったりした。
また収納袋が無かった為、収納出来なかった。
【課題を解決する為の手段】
【０００４】本発明は、以上の課題を解決する為に、
請求項１はレジャーシート大きさに合わせシートの端に重石ポケットを数箇所取り付け砂、石等を入れる事により風が吹いても捲くれ上がらなくなり、飛ばされなくなる様にした。
請求項２は収納袋を取り付け、荷物を収納出来る様にした。
【０００５】レジャーシートに重石ポケット、収納袋の取り付け方としては、縫い合わせ、接着剤による取り付け、又は熱による溶着等取り付け方はいろいろ有る
【発明の効果】
【０００６】レジャーシートとして海、山などに行った先々に有る砂、石などを重石ポケットに入れる事により風が吹いても、捲くれ上がったり飛ばされなくなる事と収納袋を設け荷物を収納出来る様にした事を特徴とするレジャーシートである。
【０００７】目的地に行った先々の砂、石を活用する事でレジャーシートを携帯する時はレジャーシートの重さだけになるので非常に軽くする事が出来る
【０００８】風の強さに合わせて砂、石を入れられるので状況に合った対応が出来る。
【０００９】収納袋を取り付ける事により防犯、整理整頓に非常に役立てる事が出来る。
【発明を実施する為の最良の形態】
【００１０】この発明の実施形態を、図１に示す。
このレジャーシートの隅に重石袋１が設けられている、また大きさに合わせて端、中央に重石袋２の数増やす事が出来る。
収納袋は形状、大きさはレジャーシートに合わせ取り付ける事が出来る。
【実施例】
【００１１】海水浴では非常に効果を発揮出来る。
風が強さに合わせ重石ポケットに入れる砂の量を加減する事で捲くれ上がらない、飛ばされなくなる。
収納袋に荷物を入れて置く事により防犯になる。
形態する時はコンパクトになり非常に軽く形態しやすい。
【産業上の利用可能性】
【００１２】ポケットと形状は図１の形状とは限らず図１の形状の様に縁全体に取り付ける事により、シートカバーとしての機能としても使用出来る、この時重石になる物は水でも良い
【図面の簡単な説明】
【００１３】
【図１】シート１の四隅に重石ポケットが付けられている、大きさに合わせ重石ポケット２を追加している。収納袋１の取り付け位置は決まっていない。
【図２】重石ポケットを縁全体に取り付ける事によりシートカバーとして地面との隙間が無くなり、雨が降ってもシートの中はほとんど濡れなくなる。
【図１】
2005103202.tif 000003
【図２】
2005103202.tif 000004
(57)【要約】      （修正有）【課題】骨盤の状態を解っていなくても使用でき、捩れに対しても効果的であり、短時間で効果を実感することができる骨盤矯正器具を提供する。【解決手段】側面板１の中心に座り背板２に背中を付けることにより骨盤に直接アプローチして歪み・捩れ等々微妙なズレも矯正する。【効果】常に一定の角度・位置に一定の圧で矯正する為安全で、短時間、短期間に矯正する事が出来る。この器具は座る事で股関節へ大腿骨が９０度の状態で筋肉の緊張のない状態で偏りなく自然に上へ押し上げられ寛骨臼へ入るため適正な位置へ戻り仙腸関節の歪み・捩れの矯正に効果を上げる事が出来る。【選択図】図１
2005103215.tif 000002
【特許請求の範囲】
【請求項１】
側面板１の傾斜へ座る事により、筋肉がリラックスした状態で、大腿骨を自分の上肢体重で下から上へ押し上げ、股関節の寛骨臼へ正常な位置に入れることができ。その後骨盤（腸仙関節）を左右均等に矯正する為、骨盤の歪みからくる足の長さの違いや肩の高さの違いも矯正される。それと同時に地面と並行に座り背板２に背中を付ける事と膝頭を合わせることで、捩れを均等に矯正する。
【請求項２】
骨盤へ常に一定の角度・位置で、一定の圧をかけるため、骨盤の歪みを短時間（５〜１０分程度）・短期間で体に無理なく矯正する事が出来る。
【請求項３】
大人から子供まで体格に関係なく、座るだけで自分の体に最も適した角度で、自分の上肢体重の重みで無理なく安全に、骨盤矯正できる。
【請求項４】
体の中心である骨盤を矯正する事で、体全体の気血の流れをよくして免疫力を高め、また、頚椎・胸椎・腰椎・股関節・膝の位置も正常になる。
【発明の詳細な説明】
【技術分野】
【０００１】  この発明は、体の中心の要である骨盤を、変位を起こした所だけをキーポイントで短時間・短期間で安全に正常な位置に矯正する器具である。
【背景技術】
【０００２】  今まで骨盤の位置を前後左右の捩れ・歪みをキーポイントで直接調整する器具がなく整体院やカイロプラクテックへ行き矯正するか、骨盤矯正ベルト・ガードル・パンツ等、体に装着し締めて矯正するものがほとんどであり、長時間装着しなければならなく体の血流やリンパの流れを止めてしまい、締め付ける事による弊害があった。また、良くなるまでに期間もかかった。
特許文献１については、片方ずつ骨盤のズレを直すもので、骨盤の知識が必要でやりすぎると逆にズレていき、骨盤の上（腸仙関節）と下（恥骨）の開き具合と捩れ左右上下のズレ等、微妙な変位を左右均等に矯正することは出来ない。
【特許文献１】特許出願平６−２８１０９０
【発明が解決しようとする課題】
【０００３】  しかしながら以上の技術によれば骨盤矯正ベルト、ガードル等々では長い時間装着しなければならなく、締める事による腹部・腰部・臀部への血行不良を起こすことになり、またこの様な方法は数ヶ月から半年と長い時間かけなくては効果（骨盤矯正）が出てこない。また、歪み・ねじれを締め付けることで、よりいっそうズレが大きくなり弊害が出て来る人もいると思われる。また体格の違いや子供等に対応しきれていないものも多く見られる。
【課題を解決するための手段】
【０００４】  以上の課題を解決するために、
第一の発明は、図１の側面板１は傾斜した板のため器具を調節することなく体格の違う大人から子供までそれぞれ最も良い位置で使用可能にした器具であること。
第２の発明は、骨盤のズレが左右どちらなのか知識がなくても、図４座るだけで、骨盤の変位を直接左右均等に歪み・捩れを矯正する器具であること。
第３の発明は、骨盤矯正ベルトやガードル等、長時間体を締め付ける事で血行不良を起こし弊害があったが、この器具は、短時間（５分〜１０分程度）で矯正し子供からお年寄りまで安全に使用出来ることを特徴とする器具であること。
【発明の効果】
【０００５】  第一の発明は、骨盤の左右のバランスが狂ったときに腰痛・肩こり・内臓疾患・生理不順・便秘・自律神経失調・冷え症等々起こってきます。図４の座る姿勢で矯正するため足腰の筋肉を緩めた状態で大腿骨が寛骨臼に入り、筋肉の緊張で引きつけるようなズレもないため、体格が違う人でも座るだけで左右対称に調整されます。第２の発明は、骨盤そのものに左右均等に荷重をかけ、背板２に背中を付ける事でねじれを直す様に設計されている。
第３の発明は図４足を揃えて座り、背板２にしっかり背中を付けて座ると変位を起こしている股関節・骨盤に対して同じ角度・位置で上肢の体重をかけるので、長年の捩れ・歪みで足腰の筋肉の付き方が違う人でも常に一定に矯正され、短時間（５分〜１０分程度）で最大の効果を上げる事が出来ます。肘当てに肘を乗せると体重も調整出来るため安全に使用することが出来る。
【発明を実施するための最良の形態】
【０００６】  この発明の一実施形態を図１に示す。骨盤矯正チェア器具は、図１の側面板１の角度と背板２が基本であり、底４は地面に対して側面板１の角度が左右均等であることが基本である。
【実施形態の効果】
【０００７】  この実施形態によれば短時間に左右のバランスを矯正するため、ギックリ腰・坐骨神経痛にも効果があります。身体の中心である骨盤のズレによる大腿部や、腰部・背筋部等の筋肉・靭帯の緊張をとる効果があり足の長さの違いや、また背骨の曲がりから肩が片方だけ下がっている人も、骨盤を矯正することで背骨も矯正され肩は平行になり足の長さは揃います。歪みを改善する事で体の各関節の可動域も改善されそれにともない気血の流れも改善されるため、体調の悪いときなどは１度（５〜１０分位）座るだけで疲労回復にもなります。骨盤の中にある腸・泌尿器・生殖器・婦人科系の疾患や冷え性・便秘等も改善・予防されるばかりでなく、大腿骨の大転子から矯正され骨盤が正常になる事で股関節や膝も正常になるためＯ脚・Ｘ脚・膝痛の改善・予防にもなります。
【他の実施形態】
【０００８】  図１の実施形態では、椅子の形態になっていますが、整体院・治療院用に、膝の位置・高さ、股関節の高さが分かるように目盛りをつけ、膝が左右均等に揃うように固定する板を付け正確にする事が出来るものを作成する
【図面の簡単な説明】
【図１】斜視図
【図２】正面図
【図３】側面図
【図４】実施例を示す斜視図
【符号の説明】
１側面板
２背板
３肘掛台
４側面板固定底面
５側面板固定軸底面
【図１】
2005103215.tif 000003
【図２】
2005103215.tif 000004
【図３】
2005103215.tif 000005
【図４】
2005103215.tif 000006
(57)【要約】【課題】  勃起補助筒に空気室と除圧管を設けた性交補助具を提供する。【解決の手段】  中空の筒の先端に空気室を設け、その筒に沿って空気室から根元まで、除圧管を設けたことを特徴とする性交補助具。【選択図】  図１
2005103216.tif 000002
【特許請求の範囲】
【請求項１】
中空の筒の半ばから膨らみを設け、その膨らみの先に空気室を設け、空気室の先端に装着孔、付け根に通気孔を設け、その通気孔から、中空の筒に沿ってその根元まで除圧管を設け、空気室の外側にスポンジ状の帽子を装着したことを特徴とする性交補助具。
【発明の詳細な説明】
【技術分野】
【０００１】本発明は、除圧管を設けた筒状の性交補助具に関するものである。
【背景技術】
【０００２】従来、気道を確保する方法として、茎部に溝が利用されている。（例えば特許１照）【０００３】
【特許文献】  特開２０２−２６３１２９（Ｐ２００２−２６３１２９Ａ）
【発明の開示】
【発明が解決しようとする課題】
【０００４】そのために、次のような問題点があった。
（イ）茎部に設けた気道溝が互いの性器を痛める懸念があった。
（ロ）空気室がないため、除圧が出来なかった。
（ハ）茎部が直筒のため内部では亀頭部の勃起や摺動を妨げていた。
（ニ）補助具の先端は、柔軟性に欠け亀頭感がなかった。
本発明は、これらの問題点を解決するためになされたものである。
【課題を解決するための手段】
【０００５】  中空の筒のなかばから膨らみを設け、その膨らみの先に空気室を設け、空気室の付け根に通気孔を設け、その通気孔から中空の筒の根元まで除圧管を設け、空気室の外周にスポンジ状の帽子を装着する。以上を特徴とする性交補助具である。
【発明の効果】
【０００６】  装着が容易で、ムードを中断することなく、勃起障害の程度や症状に左右される事なく交合が可能であり叉、補助具の外側では女性に勃起感を、内側では男性に膣感を同時提供しながら、極めて安全で自然な性生活を営む事が出来る。
【発明を実施するための最良の形態】
【０００７】  以下、本発明の形態について説明する】
（イ）中空の筒（１）の半ばから膨らみ（２）を設け、その膨らみ（２）の先に空気室（３）を設ける。
（ロ）空気室（３）の先端に装着孔（４）付け根に通気孔（５）を設ける、通気孔（５）から中空の筒（２）（１）に沿って根元まで、除圧管（６）を設ける。
（ハ）空気室（３）の外側にスポンジ状の帽子（７）を装着する。
本発明は以上のような構成で、これを使用するときは、予め定着帯を着用した上で、陰茎と補助具の内面との双方に十分な潤滑剤を塗布してから、茎部を挿入し、定着帯に固定し、次いでスポンジ状の帽子をつけてから、コンドームを装着する。
【図面の簡単な説明】
【０００８】
【図１】本発明の斜視図
【図２】除圧管の斜視図
【符号の説明】
【０００９】１  中空の筒
２  膨らみ
３  空気室
４  装着孔
５  通気孔
６  除圧管
７  帽子
８  粘着テープ
【図１】
2005103216.tif 000003
【図２】
2005103216.tif 000004
(57)【要約】      （修正有）【課題】通常は豆腐に包丁を何回も入れたり、切断後の豆腐を別な容器に移す際に不都合が多々あるため、簡単に切断し、他の鍋等に移すことの出来る豆腐を切断するための調理器具を提供する。【解決手段】豆腐２個が収納出来る程度の大きさの箱体（１）の縁部の中央あたりに支持棒（２）を設け、支持棒（２）から垂直に縦切断ワイヤー（３）を支持棒に平行の縁部（６）に向けて複数本張る。又、支持棒より直角方向の箱の左縁部（７）より横切断ワイヤー（４）を支持棒より直角方向の右縁部（８）に向けて複数本張る。さらに支持棒（２）に平行でかつ箱の底面方向に上下切断ワイヤー（５）を複数本張る。【選択図】図１
2005103744.tif 000002
【特許請求の範囲】
【請求項１】
豆腐を２個収納できる程度の大きさの箱体（１）の中央あたりに支持棒（２）を設け、支持棒（２）から垂直に縦切断ワイヤー（３）を支持棒に平行な縁部（６）に向けて複数本張る。
また、支持棒より直角方向の箱の左縁部（７）より横切断ワイヤー（４）を支持棒より直角方向の箱の右縁部（８）に向けて複数本張る。
さらに支持棒（２）に平行でかつ箱の底面方向に、上下切断ワイヤー（５）を複数本張った豆腐切断器。
【発明の詳細な説明】
【発明の詳細な説明】
【技術分野】
【０００１】本発明は豆腐を複数のサイコロ状にするための調理器具であり、細いワイヤーを利用した豆腐切断器に関するものである。
【背景技術】
【０００２】従来豆腐を切断する場合、包丁や他の刃物を用いて、切り台の上や皿の上、又時には手のひらの上で切断をする。
【発明が解決しようとする課題】
【０００３】豆腐を切断する時次のような問題点があった。
通常切り台で豆腐を複数に切断する時、切断片の個数によって包丁で複数回切断動作を繰り返す。
細かく切断しようとする場合、途中で切断された部分の豆腐が崩れてしまう事もあり、又別な皿や鍋に移す時などは包丁に載せたりして何回か繰り返して移す。
さらに、沸騰している湯内に入れる場合は熱湯の飛散により火傷の危険もある。
本発明は以上の問題点を解決し簡単に素早く豆腐を切断したり他の器に移したり出来るように構成したものである。
【課題を解決するための手段】
【０００４】豆腐を２個収納出来る程度の大きさの箱体（１）の中央あたりに支持棒（２）を設け、支持棒（２）から垂直に縦切断ワイヤー（３）を支持棒に平行な縁部（６）に向けて複数本張る。
また支持棒より直角方向の箱の左縁部（７）より横切断ワイヤー（４）を支持棒より直角方向の箱の右縁部（８）に向けて複数本張る
さらに支持棒（２）に平行でかつ箱の底面方向に、上下切断ワイヤー（５）を複数本張る。
そして複数本のワイヤーで囲んだ箱の内部領域をＡ室（９）とし、その反対側の箱の内部の領域をＢ室（１０）とする。
本発明は以上の構成よりなる豆腐の切断器である。
【発明を実施するための最良の形態】
【０００５】以下本発明の実施の形態を説明する。
（イ）ステンレスや毒性の無いプラスチックを材料とする、箱体（１）の周りに通線孔（１１）を複数個一定の秩序、例えば等間隔に設ける。
（ロ）さらに箱体（１）の中央に支持棒（２）を溶接又はネジ止めにより設け、箱体（１）に明けた通線孔（１１）をこの支持棒（２）にも秩序を持って設ける。
（ハ）箱体（１）と支持棒（２）に設けた通線孔（１１）にステンレス製などの細いワイヤーを図の様に順序よく通線し、それぞれを縦切断ワイヤー（３）、横切断ワイヤー（４）、上下切断ワイヤー（５）とする。
（ニ）各通線孔（１１）、の間隔及び縦切断ワイヤー（３）、横切断ワイヤー（４）、上下切断ワイヤー（５）の間隔や本数は豆腐をいかに細かくするかにより、複数種設定出来る。
本発明は以上の構成よりなる。
本発明を使用して豆腐を切断する場合、縦切断ワイヤー（３）と横切断ワイヤー（４）より成る面に豆腐を載せ軽く押し下げる事により豆腐の自重も加わって、縦切断ワイヤー（３）と横切断ワイヤー（４）より成る面を通過する、この時豆腐は図３に示す様に、ワイヤーにより切り込まれ、切り込み境界線（１２）で分離されＡ室（９）に収まる。
さらに豆腐をＢ室（１０）に移動させようとＢ室（１０）側を下になる様に箱体（１）を傾けることにより豆腐は上下切断ワイヤー（５）を通過してＢ室（１０）に収まる、Ｂ室（１０）に収まった豆腐は図（４）に示す様に上下にも複数段の上下切り込み境界線（１３）が入って分離される。
Ｂ室（１０）から取り出された豆腐はもはや、複数個のサイコロ状に切断されている事になる。
【発明の効果】
【０００６】本発明を使用し豆腐を切断する場合、包丁を何度も上下運動させる事でなく、ワイヤーで構成する面を通過させるという簡単な操作で豆腐を素早く複数個のサイコロ状に切断する事が出来る。切断された豆腐は箱体に収まっているので、そのまま鍋に移せるなど、切断後の取り扱いが容易であるため、特に業務用として大量の豆腐を切断する場合には非常に能率的である。
【図面の簡単な説明】
【図１】本発明の斜視図
【図２】本発明の要部拡大の斜視図
【図３】本発明に掛かる切断対象物の斜視図
【図４】本発明に掛かる切断対象物の斜視図
【符号の説明】
（１）箱体、（２）支持棒、（３）縦切断ワイヤー、（４）横切断ワイヤー、（５）上下切断ワイヤー、（６）支持棒に平行な縁部、（７）支持棒より直角方向の箱の左縁部、（８）支持棒より直角方向の箱の右縁部、（９）Ａ室、（１０）Ｂ室、（１１）通線孔、（１２）縦横切り込み境界線、（１３）上下切り込み境界線
【図１】
2005103744.tif 000003
【図２】
2005103744.tif 000004
【図３】
2005103744.tif 000005
【図４】
2005103744.tif 000006
(57)【要約】      （修正有）【課題】  ネットの場合カゴ中が丸見えで、ビニール製ファスナー付の場合は、荷物の量によってはファスナーがしまらず口が開いており、カゴ内の荷物・品物を持って行かれる不安を解決する自転車カゴカバーを提供する。【解決手段】カゴカバー１に、防水性を持たせ又、フリル部３とゴム紐４を周囲に設けて伸縮性を持たせたことで、カゴ内の荷物の増量にも対応出来、着脱面テープ７を持ち手として取り付けたことにより、片手でワンタッチ使用出来、便利なうえに、防犯性が高くなった。【選択図】図３
2005289346.tif 000002
【特許請求の範囲】
【請求項１】
本体は、楕円形の一端を直線とし、本体の円周囲に適宜の巾で、フリル部とし、本体とフリル部の境界線上に、ゴム紐を用いて、縫着し、楕円部の中心部に着脱面テープの一方を取り付け、本体直線部には、ゴム紐の延長線上部に、左右二ヶ所に、紐を取り付けた自転車カゴカバー。
【発明の詳細な説明】
【技術分野】
【０００１】  本発明は、防犯用自転車カゴカバーに関する。〔背景技術〕【０００２】  従来の自転車カゴカバーは、ゴムネット、又はビニール製ファスナー付き、及び布着形、そして、カゴを被うだけの物が有る。【０００３】  従来のカバーは、ゴムネット製ではカゴの中が丸見え。ビニール製ファスナー付カバーは荷物の量が増えると、ファスナーは閉じることが出来ない。布着形は口を閉じるだけ。〔発明の開示〕〔発明が解決しようとする課題〕【０００４】  以上に述べた、従来の自転車カゴカバーは、ゴムネット或いはビニール製ファスナー付カバー、布着形等は、防犯上大変に不安が有り、雨の日の水ぬれの心配も有る。【０００５】  本発明は、防犯上の不安を無くすため、防水性を加え、使い良さ、便利さ、簡単使用を追求した。〔課題を解決するための手段〕【０００６】  本発明は、上記の目的達成のために、防水性素材を使用する。本体に伸縮性を持たせるため、本体裏面に、ゴム紐を引張りながら縫着する。【０００７】  伸縮性を持った本体は、カゴの中の荷物が増えた時は、図３．のように、山盛形にもりあげ雨の日の水ぬれには、図４のようにカゴの前面下方まで引き下げる。【０００８】  カバー本体の着脱は、本体楕円部中央に取り付けた、着脱面テープの一方と、カゴ前面に貼着した他の一方の着脱面テープの接触による。【０００９】  本体のカゴとの取り付けは、本体直線部に取り付けた紐により、カゴ背部に結着する。〔発明の効果〕【０００１０】  本発明の効果として、カバー本体が伸縮性を持ったことで、荷物が多くても、カゴ上部全体を被うことが出来防犯用カバーとして充分役目を果たす。【０００１１】  防水素材を使用したことで、雨の日は本体を充分下方向に引きカゴ前面を被うので、水ぬれの心配なし。【０００１２】  本体に取り付けた、着脱面テープ使用の取っ手を付けたので、片手でワンタッチで、カバーの開閉使用が出来る。【０００１３】  カバー不使用の時は、カゴの中に収納すると、カバーを付けている違和感がない。【０００１４】  カゴにカバーを取り付けるには、カバー直線部に付けた紐を、カゴ後背面の角に結ぶことで良い。防犯、防水、効果は充分で、ワンタッチ着脱使用で便利。〔発明を実施するための最良の形態〕【０００１５】  図１．に示したように本体１．を楕円形とするが、一部を直線とする。【０００１６】  図１．の直線部分の両端を、フリル部３．として残し、カゴ取り付用紐２ａ及び２ｂを二ヶ所取り付ける。【０００１７】  図１．のフリル部３．と本体１．の境目となるように、本体１．の裏面にゴム紐４．を引き伸しながら、５ａから楕円中央部を通り、フリル部５ｂまで縫着する。【０００１８】  図１．の楕円中央部６．に着脱面テープ７．を取り付ける。【０００１９】  図５．の前カゴ前面に着脱面テープの他の一方８を取り付ける。上記の構成及び実施形態によれば、防水、防犯、便利さ、安全さが、充分得られるものである。〔実施例〕【０００２０】  自転車の前カゴ及び後カゴに取り付け使用する。【０００２１】  オートバイの前カゴに使用することも出来る。
【図面の簡単な説明】
【０００２２】
【図１】本体裏面平面図
【図２】本体表面平面図
【図３】体体使用斜視図
【図４】本体使用斜視図
【図５】本体使用斜視図
【符号の説明】
【０００２３】１．          本体２ａ．２ｂ    紐３．          フリル部４．          ゴム紐５ａ．５ｂ    ゴム紐の縫い始め、縫い止り．６．          楕円中央部７．          着脱面テープ８．          着脱面テープ９．          前カゴ
【図１】
2005289346.tif 000003
【図２】
2005289346.tif 000004
【図３】
2005289346.tif 000005
【図４】
2005289346.tif 000006
【図５】
2005289346.tif 000007
(57)【要約】      （修正有）【課題】自動車の盗難防止に役立つ運転席シートを提供する。【解決手段】自動車の運転席シ−トを、そのシ−トに座ってハンドルやペダルなど自動車の運転に必要な操作が出来ないように、車体前方に移動させ、シ−トをその位置に固定し施錠することにより自動車の盗難を防止する。シ−ト下部に余裕を設ければ、リモ−トコントロ−ラによる自動操作も可能となる。シ−トの取り付けには一般的な工具では取り外し出来ない形式のボルトを使用する。【選択図】図１
2005289341.tif 000002
【特許請求の範囲】
【請求項１】
自動車の運転席シ−トを、そのシ−トに座ってハンドルやペダルなど自動車の運転に必要な操作が出来ないよう、車体前方に移動させ、シ−トをその位置に固定、施錠することにより自動車の盗難を防止するシステム
【発明の詳細な説明】
【発明の詳細な説明】
【技術分野】
【００１】この発明は、自動車の盗難防止に役立つ運転席シ−トを提供するものである。
【背景技術】
【００２】ドアを開けると警報が作動する組込み型の盗難防止警報装置が主流で、ハンドルを固定する金具やアクセルなどの操作ペダルの使用を不可能にする金具が市販されている。
【発明が解決しようとする課題】
【００３】自動車に盗難防止警報装置が組み込まれている場合でも、工具などを使用してドアを開け、電気回路を動作させ、短時間に自動車を盗み出す事件が後を絶たず、効果的な盗難防止策が未だに見受けられない。ハンドルやペダルなどの動きを封じる金具を使用する形式はあまり普及していないと考えられる。
【課題を解決するための手段】
【００４】本発明では、自動車の運転席シ−トを、そのシ−トに座ってハンドルやペダルなど自動車の運転に必要な操作が出来ないように、車体前方に移動させ、シ−トをその位置に固定し、シ−トロックレバ−に施錠して操作できないようにすることにより自動車の盗難を防止する。第三者が鍵を使用しないで不法にドアを開け、電気系統に細工してエンジンをかけても、運転席シ−トに座ってペダルを踏まない限り発進させることはできない。運転席シ−トがハンドルに近くなっていることは外部から容易に認識でき盗難防止に効果的である。運転者が自動車を発進させる場合は、シ−トロックレバ−の施錠を解錠しシ−トロックを解除してシ−トを元の位置に戻して通常の操作を行う。
【発明を実施するための最良の形態】
【００５】以下、本発明の実施の形態について説明する。
運転席シ−トには、運転者の体型に合わせて、座席面の高さの上下の調節、座席の背もたれの角度の調節、ハンドルやペダルと運転者の距離を調整するために運転席シ−トを前後に移動させる機構とその位置で運転席シ−トを固定するシ−トロック機構などがある。シ−トロックを解除しない限り、シ−トロックの爪１と孔２が噛み合ってシ−トが移動することないようにロックされている。このシ−トロックを解除するためのシ−トロックレバ−３に突起４を設け、取付板５に取り付けた鍵６を施錠することにより回転止め７がシ−トロックレバ−の回転を阻止し、シ−トロックを解除してシ−トを移動させることができないようにする。運転者が自動車から下りる時、ハンドルやペダルと運転席シ−トの間隔を最小限にするために運転席シ−トの位置を前に移動させてからシ−トロックを行い、シ−トロックレバ−３の鍵６に施錠する。自動車を運転する際には、ドアを開けた後、シ−トロックレバ−３の鍵６を解錠し、シ−トロックを解除し、移動前の運転位置までシ−トを下げる。シ−ト下部に空間的な余裕を設けることにより、これらの一連の操作を自動化することができる。シ−トロックレバ−を回転させてシ−トロックを解除するモ−タ−またはソレノイド７、シ−トロックレバ−の電動鍵８、シ−トを前後に移動させるモ−タ−９と駆動軸１０およびその力をシ−トに伝えるシ−ト取付部１１、シ−トの最前部と最後部の位置を検出する検出器１２と１３、下車時のシ−ト位置で”０”にリセットしてから最前部までの距離をカウントし、乗車時にカウンタ−”０”の位置までシ−トを戻すためのカウンタ−１４を設ける。運転席シ−トの車体への取付に関しては、頭の形状が特殊なボルトまたは鍵付のボルトを使用するか、ボルトの頭に特殊な部品をかぶせてボルトを取り外せない様にする。こうして運転席シ−トを取り外しが出来ないようにするか取り外しに長時間かかるようにする。運転席シ−トを取り外すことは日常極めて少なく、その場合は修理工場などでこの特殊が部品を取り外せばよいと思われる。
【発明の効果】
組込み型の盗難防止装置を取り付けていない自動車の場合、あるいは盗難防止装置を組み込んでいても盗難の危険性を危惧する場合、ハンドルやペダルなどを固定する盗難防止金具を装着する自動車でより簡便な盗難防止を必要とする場合、運転者が比較的長時間自動車を離れる状況で、リモ−トコントロ−ラや鍵を使用しないで不法に自動車の電気系統を細工してエンジンをかけたとしても、運転席シ−トに座って自動車を発進させるには、さらに機械的な工具を使用した細工をしない限り、自動車を盗むことができなくなる。
【図面の簡単な説明】
【図１】  本発明のシ−トロックレバ−のロック施錠を概念を示す図面である。
【図２】  本発明の盗難防止システムの自動化の概念を示す図面である。
【符号の説明】
１    シ−トロック用爪
２    シ−トロック用孔
３    シ−トロックレバ−
４    取付板
５    突起
６    回転止め
７ａ  鍵（手動または電動兼手動）
７ｂ  鍵（電動兼手動）
８    シ−トロックレバ−回転用モ−タ−またはソレノイド
９    シ−ト駆動モ−タ−
１０  シ−ト駆動軸
１１  シ−ト取付部
１２  シ−ト最前部位置検出装置
１３  シ−ト最後部位置検出装置
１４  シ−ト位置検出カウンタ−
【図１】
2005289341.tif 000003
【図２】
2005289341.tif 000004
(57)【要約】【課題】  この発明は、洗車スポンジ（１）に内蔵のシャンプー容器（２）から、洗車スポンジ（１）を持ったその手の指で弁押しノブ（５）を押すことにより適度にシャンプーを取り出すことが出来る装置に関するものである。【解決手段】洗車スポンジ（１）に内蔵のシャンプー容器（２）の中にシャンプー流入穴のあるバネケース（３）に入っているバネ（４）を設けそのバネにより押されてシャンプー排出口（７）を閉じている開閉弁（６）を設ける。【選択図】        図１
2005289343.tif 000002
【特許請求の範囲】
【請求項１】
シャンプー容器（２）を内蔵した洗車スポンジ（１）
【請求項２】
請求項１のシャンプー容器（２）のシャンプー排出口（７）の開閉弁（６）をシャンプー容器（２）内に設けたバネ（４）を利用し操作する開閉装置。
【発明の詳細な説明】
【発明の詳細な説明】
この発明は、洗車スポンジ（１）に内蔵したシャンプー容器（２）から、洗車スポンジ（１）を持ったその手の指で弁押しノブ（５）を押すことにより、適度にシャンプーを取り出すことが出来る装置に関するものである。
従来より、手洗い洗車をする際には、片方の手に洗車スポンジ、一方の手には水ホースを持って行っていた。洗車スポンジにシャンプーを出すその都度、片方の手に持った水ホースを手放し、市販のシャンプーの容器を持ち補給していた。度々の水ホースとシャンプー容器の持ち替えは極めてわずらわしい事であった。
本発明は、その強い要望をまとめて簡単な方法で問題を解決したもので、左右の手に持った洗車スポンジ（１）、水ホースを手放すことなく適度にシャンプーの補給が出来、且つ洗車時間の短縮にもつながるものである。
以下、それを説明すると、
（イ）洗車スポンジ（１）を持ったその手の指で、開閉弁（６）と一体の弁押しノブ（５）を押す。
（ロ）押された開閉弁（６）がバネ（４）を押し、バネ（４）が縮むとともに、シャンプー排出口（７）が開く。（図２）バネケース（３）のシャンプー流入穴（９）よりバネケース（３）内に入っているシャンプーがシャンプー排出口（７）より洗車スポンジ（１）に流れ出る。
（ハ）弁押しノブ（５）から指をはなす。
（二）バネ（４）が元に戻ることにより、バネ（４）に開閉弁（６）が押されてシャンプー排出口（７）が閉まり、シャンプーの排出が止まる。
本発明は、この様な簡単な方法で、問題を解決したものである。
尚、洗車スポンジ（１）にシャンプー容器（２）を固定する方法としては、接着剤でつける方法、バンドで締めつける方法など、どの様な方法でもよく、シャンプー容器（２）にスポンジをかぶせて使用すると、手の感触が良くなる。
【図面の簡単な説明】
【図１】    本発明洗車スポンジ（１）の斜視図、シャンプー容器（２）の一部断面図
【図２】    本発明シャンプー排出時のシャンプー容器一部断面図
【符号の説明】
１  洗車スポンジ
２  シャンプー容器
３  バネケース
４  バネ
５  弁押しノブ
６  開閉弁
７  シャンプー排出口
８  シャンプー補給口
９  シャンプー流入穴
【図１】
2005289343.tif 000003
【図２】
2005289343.tif 000004
(57)【要約】【課題】自動車内で飲み物等の保温保冷が効率良くできて、しかも簡単かつ安価の上、外観上も問題ない保温保冷装置を提供する。【解決手段】自動車のエアコンの吹き出し口内部にカップホルダーを収納した引き出しを設けた保温保冷装置を作る。【選択図】  図２
2005289338.tif 000002
【特許請求の範囲】
【請求項１】
自動車のエアコンの吹き出し口内部にカップホルダーを収納した引き出しを設けたことを特徴とする保温保冷庫。
【発明の詳細な説明】
【技術分野】
【０００１】本発明は、自動車のエアコン吹き出し口を利用し、各種飲み物等を保温保冷するための装置に関する。
【背景技術】
【０００２】従来の自動車用冷却装置は、シガレットライターから電源をとり冷却装置を作動させたものである。また、エアコン吹き出し口に接続アタッチメントを取り付けたものがある。
【発明の開示】
【発明が解決しようとする課題】
【０００３】しかし、上記の冷却装置は自動車内ではかさばる上、移動や持ち運びに不便であり、電源を別途消費するという問題がある。また、エアコン吹き出し口に接続アタッチメントを取り付けたものは、吹き出し部に重量がかかり破損しやすく外観も良くない。そう上、エアコン吹き出し口から出る空気は分散し、飲み物等に充分に当たらず効率が悪いという問題がある。【０００４】そこで本発明は、上記のような問題を解決するために、飲み物等の保温保冷が効率良くできて、しかも簡単かつ安価の上、外観上も問題ない保温保冷装置を提供することを目的とする。
【課題を解決するための手段】
【０００５】上記の目的を達成するため、本発明は、自動車のエアコンの吹き出し口内部にカップホルダーを収納した引き出しを設けた保温保冷装置である。
【発明の効果】
【０００６】本発明は、飲み物等を保温保冷するときに、収納している自動車のエアコン吹き出し口内部のカップホルダーを引き出してその中に飲み物等を入れることにより、エアコンから送られる空気が充分に当たり効率良く保温保冷ができて、しかも簡単でかつ安価の上、収納できるので外観上も問題がない。
【発明を実施するための最良の形態】
【実施例】
【０００７】自動車のエアコン吹き出し口内部にカップホルダーを設けた引き出しを収納するため、充分な収納場所を確保する必要がある。【０００８】また、カップホルダーに飲み物等を入れても、エアコン吹き出し口からの送風が充分可能なように通風の確保が必要である。
【産業上の利用可能性】
【０００９】
【図面の簡単な説明】
【００１０】
【図１】本発明の保温保冷庫を格納した状態の正面図である
【図２】本発明の保温保冷庫を引き出した状態の斜視図である。
【図３】本発明の保温保冷庫を格納した状態の斜視図である。
【図４】本発明の保温保冷庫を格納した状態の断面図である。
【符号の説明】
【００１１】    １・・・エアコン吹き出し口
２・・・引き出し
３・・・引き出しのレール
４・・・カップホルダー
５・・・エアコン通風管
６・・・保温保冷庫
【図１】
2005289338.tif 000003
【図２】
2005289338.tif 000004
【図３】
2005289338.tif 000005
【図４】
2005289338.tif 000006
(57)【要約】      （修正有）【課題】老人、視力の弱い人に使用勝手のよいビンの栓抜き、缶のプルタブ起こしのできる器具を提供する。【解決手段】ステンレス製であり、柄部分の長手方向を１４５度に曲げ、長手方向一端に栓抜き穴、多端にプルタブ起しを設ける。柄部分幅両側縁を下側へ折り返して持ち易くする。さらに柄部分に大小複数の案内穴をあける。【選択図】図１
2005289505.tif 000002
【特許請求の範囲】
【請求項１】
握力の弱い方、指先の動きが困難な方、又、視力が大変弱い方のビンの栓、缶のプルタブ開け等に力をあまり入れず、使用でき、視力の弱い方には指先の指案内丸穴により、力の感覚が分かるように設計した体の不自由な方、健康な方が使用できる特徴を有する器具である。
【発明の詳細な説明】
【技術分野】
【０００１】本発明は、板ステンレス角度を１４５度に折り曲げ、幅広の先端をビンの栓抜き、幅狭の先端を缶のプルタブ起こしを手の不自由な方、目の視力の弱い方に介護器具用品としても又、ユニバーサルデザインの器具として発明に関するものである。
【背景技術】
【０００２】本発明は、ビンの栓、缶のプルタブ起こしを手の不自由な方、目の視力の弱い方が自分で簡単に器具として使用できるための関するものです。
【特許文献１】
【特許文献２】
【非特許文献１】
【非特許文献２】
【発明の開示】
【発明が解決しようとする課題】
【０００３】缶・ビン、トップハンド（ステンレス製）を使用することによって、老人、体の不自由な方が自分でビンの栓抜き、缶のプルタブ起こしをできる様、尚且つ、安全に簡単に使える器具です。
【課題を解決するための手段】
【０００４】缶・ビン、トップハンド（ステンレス製）を使用することによって、老人、体の不自由な方の自分で行えるビンの栓抜き、缶のプルタブ起こしの問題点を解決します。
【発明の効果】
【発明を実施するための最良の形態】
【０００５】缶・ビン、トップハンド（ステンレス製）は、板ステンレスに１４５度の角度をつけることと、左右の指ずれ板折と小から大５箇所の指案内丸穴により、手の不自由な方、目の視力の弱い方にも安心してビンの栓、缶のプルタブ起こしが簡単に且つ安全に使用することが出来ます。
【実施例】
【０００６】以下、添付図面に従って、一実施例を説明する。缶・ビン、トップハンド（ステンレス製）を使用し、ビンの栓抜き、缶のプルタブ起こしの関係を示した詳細。
【産業上の利用可能性】
【０００７】缶・ビン、トップハンド（ステンレス製）の使用により、老人、体の不自由な人のビンの栓抜き、缶のプルタブ起こしにおいて、この発明はリハビリ、自立等の考えの上にも欠かすことのできない器具である。
【図面の簡単な説明】
【０００８】
【図１】缶・ビン、トップハンド（ステンレス製）を示した本体背面図、詳細図である。
【符号の説明】
【０００９】    ２．指ずれ止め板折
３．ビンの栓抜き
４．指案内    丸穴大小  ５箇所
５．缶のプルタブ起こし
【図１】
2005289505.tif 000003
(57)【要約】【課題】  弁当とか即席ラーメン納豆その他多くの食品には調味料や香辛料等が必要であるためにこの様な食品には必ず調味料や香辛料が付属して付いている、その袋入りの調味料や香辛料等を、今までの袋では中身が出し難かった。袋より取り出すのに袋がなかなか開けにくいので指先は汚れるし又周囲まで汚してしまうので困っていた。そこで袋を容易に開ける開封の仕方を考えた。【解決手段】調味料や香辛料等の袋はぐにゃぐにゃして形が定まらず指で摘まみ難いので袋と同じ大きさの厚紙か厚めのビニールを袋に貼り付けた、其れによって袋の形が決まり厚紙や厚めのビニールに固定されて摘まみやすくなった。袋に貼り付けた厚紙や厚めのビニールに切り裂き易いように切り取り線を付けた、つけた切り取り線によって厚紙や厚めのビニールに貼り付けられた袋も一緒に切り取り線のところで綺麗に切り取られ開封された。【選択図】図１
2005289509.tif 000002
【特許請求の範囲】
【請求項１】
切り取り線のついた厚紙又は厚めのビニール等が貼り付けられた袋
【発明の詳細な説明】
【技術分野】
【０００１】開封し難い袋の開封を容易にするもので袋を開け易くするために切り取り線を入れた厚紙や厚めのビニールを袋に貼り付けたもの・
【背景技術】
【０００２】弁当・即席ラーメン・納豆等色々な食品には調味料や香辛料等が必要である。その調味料や香辛料等を入れている袋について言うと、その袋の中身にはどちらかと言うと水物が多く調味料や香辛料等が入っている時は、袋はぐにゃぐにゃしていて形が定まらない。
袋がぐにゃぐにゃしているので袋を指で摘まみ難い。
袋がぐにゃぐにゃしているので袋の開封がし難い。
ビニールや紙の袋は切り裂き難い。
袋が開封し難いので、開封時に中身が散り指先が汚れる、又周囲を汚してしまう。
今までの袋ではこのような事で開封するのに不便であった。
【発明の開示】
【発明が解決しようとする課題】
【０００３】解決しようとする問題点は、ぐにゃぐにゃしている形の定まらない袋を固定し、持ち易くして袋を簡単に開封して中身を綺麗に出すことである。
【課題を解決するための課題】
【０００４】本発明は調味科や香辛料の入った、ぐにゃぐにゃして形定まらない袋の片方の面に袋と同じぐらいの大きさの厚紙または厚めのビニール等を貼り付けて袋の形を固定させる。
その袋に貼り付けた厚紙や厚めのビニールに切り取り線を付けて置く。
【発明の効果】
【０００５】調味料や香辛料の入ったぐにゃぐにゃの形の袋が厚紙や厚めのビニール等を貼り付けたことにより袋が固定して指先で摘まみやすくなった。
袋に張った厚紙やビニール等に切り取り線を付けたことにより切り裂きやすくなりそして綺麗に開封される。
袋に張った厚紙や厚めのビニール等に付けた切り取り線はその紙やビニール等を切り取りやすくするだけでなく、袋までも紙やビニール等と一緒に綺麗に切り取られ開封される。
開封が簡単なので指先などが汚れず周囲も汚すことが無くなる。
【発明を実施するための最良の形態】
【０００６】開封を簡単にすることが実行されたがこの袋は最小の部品で有るため大きさが増すことなく目的を実現した。
【実施例】
【０００７】納豆・即席ラーメン・弁当等のなかに入れてある袋入り調味料と香辛料の袋と、その袋と同じ大きさに厚紙と厚めのビニールを切りそれぞれ３組用意した。【０００８】その用意した厚紙と厚めのビニールに調味料と香辛料の袋の開封口に合わせて切り取り線を入れた。【０００９】切り取り線を入れた厚紙と厚めのビニールを調味料と香辛料の入った袋に貼り付けた。【００１０】厚紙や厚めのビニールを貼り付けて形が固定されて手に持ち易くなった調味料と香辛料の袋を、厚紙と厚めのビニールに付けた切り取り線のところを引くと袋も厚紙や厚めのビニールに付けた切り取り線のところと同じく、同じ所が一緒に綺麗に引かれ開封された。
したがって手の指も汚れないし周囲も汚すことは無かった。
【産業上の利用可能性】
【００１１】厚紙等は最小の部品であり場所をとらない、作業は袋に張るだけなので簡単、オートメーションでの製造は十分に可能である。
【図面の簡単な説明】
【００１２】
【図１】本発明の斜視図である
【図２】切り取り線を入れた厚紙や厚めのビニールである
【図３】調味料や香辛料等が入っている袋である
【図４】本発明の製品を解り易く、一部を剥がしてみた斜視図である
【符号の説明】
１  （イ）厚紙又は厚めのビニール
２  （ロ）厚紙又は厚めのビニールに付けた切り取り線
３  （ハ）袋に入った調味料や香辛料等である
【図１】
2005289509.tif 000003
【図２】
2005289509.tif 000004
【図３】
2005289509.tif 000005
【図４】
2005289509.tif 000006
(57)【要約】【課題】  発泡プラスチック製の箱に紐掛けをする時に特に角当て用の部材を当てがわなくても良い仕組みの箱を提供する。【解決手段】一定厚さ以上のプラスチックテープを発泡プラスチック製の箱や蓋の紐の当たる角に少し広めに貼り付けておく。【選択図】  図１
2005289508.tif 000002
【特許請求の範囲】
【請求項１】
発泡プラスチック製の蓋付き箱においてプラスチックバンドや紐を掛けて蓋を固定する際にプラスチックバンドや紐が当たる、箱本体の底や蓋の角に補強のために一定幅のプラスチック製のフィルムが貼り付けてあることを特徴とする紐掛け用発泡プラスチック製箱。
【請求項２】
角に貼り付けるプラスチック製のフィルムの引き裂き易い方向が箱に掛けるプラスチックバンドや紐の方向に対し直角方向になっていることを特徴とする請求項１記載の紐掛け用発泡プラスチック製箱。
【発明の詳細な説明】
【技術分野】
【０００１】  食物輸送などに使う発泡プラスチック製の箱に関する。
【背景技術】
【０００２】  生鮮食品の輸送に使用される箱は段ボール箱と発泡プラスチック製の箱が主流であり、どちらにも長所短所がある。発泡プラスチック製に関して述べると、断熱性は非常に優れており、また水物も入れることができるが、局所的に加わる外力に対しては弱く、箱に紐掛けなどし、紐を持ち上げると、紐の当たっている部分がせん断し紐が食い込んでしまう欠点があった。【０００３】  それを防ぐためには紐やプラスチックバンドの掛かる箱の角に段ボールの切れ端やプラスチック片を折り曲げたものをあてがい、紐掛けをしていたが大変煩雑であった。
【発明の開示】
【発明が解決しようとする課題】
【０００４】  発泡プラスチック製の箱に紐掛けをするに当たり特に角当て用の部材をあてがわなくても良い仕組みの箱を提供する。
【課題を解決するための手段】
【０００５】  上記課題を解決するために鋭意研究を重ねた結果、一定厚さ以上のプラスチックテープを発泡プラスチック製の箱や蓋の紐の当たる角に、少し広めに貼り付けておけば、プラスチックバンドや紐を掛けたとき多少へこんでもせん断しないことが解った。
【発明の効果】
【０００６】  紐の当たるところにプラスチックテープが貼ってあるので、角当てをあてながらプラスチックバンドや紐を掛ける必要がなく、紐掛けの作業性は向上し、かつ運搬に当たっては、紐の当たっている角がせん断しないので運搬作業は楽になる。
【発明を実施するための最良の形態】
【０００７】  箱に紐掛けをするときに底や蓋の紐の当たる角部分に、予め少し広めのプラスチックテープを貼って補強した紐掛け用発泡プラスチック製箱。
【実施例】
【０００８】  図１は本発明の箱の１例で、箱本体１に蓋２を被せた状態を示してあり、それに紐を掛ける場合、紐が当たる角部分に補強用に幅５ｃｍ厚さ３０ミクロンのポリプロピレン製粘着材付きテープ３，４が貼ってある。このポリプロピレンテープの引き裂き易い方向が、紐を掛ける方向に対して直角方向、つまり箱や蓋の稜５に対して平行になるようにしてある。
【産業上の利用可能性】
【０００９】  以上述べてきたように、本発明の発泡プラスチック製箱を使用すれば、紐掛けをするときに、紐の当たる場所に角当て用の部材をあてがわなくても良いので、作業性が向上するのと、美観上もすっきりとしているし、箱を積み重ねたり、運搬するときに角当て材が引っ掛かることが無い。
【図面の簡単な説明】
【００１０】
【図１】  本発明の箱の斜視図。
【符号の説明】
【００１１】  １      箱本体
２      蓋
３，４  補強用のプラスチックテープ
５      稜
【図１】
2005289508.tif 000003
(57)【要約】【課題】  容器の中の薬品や調味料が、固まってしまうことを防止する粉末保存容器を提供する。【解決手段】  上部と下部の２か所に出し入れ口を設けた、ガラスまたは、プラスチックの中空の容器の中間部を、内径が３〜１０ｍｍ程度になる様に、なめらかに絞り込んだ括れを設けたことを特徴とする固まり防止粉末保存容器。【選択図】    図１
2005289503.tif 000002
【特許請求の範囲】
【請求項１】
上部と下部の２か所に出し入れ口を設けた、ガラスまたは、プラスチックの中空の容器の中間部を、内径が３〜１０ｍｍ程度になる様に、なめらかに絞り込んだ括れを設けたことを特徴とする固まり防止粉末保存容器。
【発明の詳細な説明】
【技術分野】
【０００１】  本発明は、粉状または砂状である、薬品や調味料を保存しておく容器に関するものである。
【背景技術】
【０００２】  従来の粉末保存容器は、中身の固まり防止機能を備えたものはなく、単純な容器に出し入れ口１つだけ設けたものだった。
【発明の開示】
【発明が解決しようとする課題】
【０００３】  そのために次のような問題点があった。
（イ）中身が固まって出てこないこともあったし、さじですくって適量を使用したい時に、固まりが混じって困っていた。
（ロ）塩・胡椒などの調味料入れの場合、乾燥目的の炒り豆・炒り米を用意・準備するのが面倒だった。
（ハ）お気に入りの調味料入れがなく、調味料を購入するたびに容器ごと買っていて、資源の無駄をしていた。
本発明は、これらの問題点を解決するためになされたものである。
【課題を解決するための手段】
【０００４】  上部と下部の２か所に出し入れ口を設けた、ガラスまたは、プラスチックの中空の容器の中間部を、内径が３〜１０ｍｍ程度になる様に、なめらかに絞り込んだ括れを設けたことを特徴とする固まり防止粉末保存容器。
【発明の効果】
【０００５】  本発明を使用することによって、人為的ではあるが、砂時計の様に中の粉末が上部から下部へ移動するたびに固まることを防ぎ、さらさらに保つことができ、薬品はどは、正確な計量ができるし、調味料入れとしては、乾燥目的の炒り豆・炒り米を用意・準備する煩わしさから解消され、資源の節約をすることができる。
【発明を実施するための最良の形態】
【０００６】  以下、本発明の実施の形態について説明する。
（イ）中空の容器（１）に、上部と下部の２か所に出し入れ口（２）を設ける。
（ロ）出し入れ口（２）に、中ぶた（３）とキャップ（４）を設ける。
（ハ）容器（１）の中間部に、内径が３〜１０ｍｍ程度になる様に、なめらかに絞り込んだ括れ部（５）を設ける。
本発明は以上のような構成で、これを使用するときは、片側のキャップ（４）と中ぶた（３）を外し、中に薬品や調味料を入れ、再び中ぶた（３）とキャップ（４）を閉め、容器（１）の中で上部から下部へ薬品や調味料が流れ落ちる様にして置いておく。
下部へ落ちた薬品や調味料を使用する時には、下部のキャップ（４）と中ぶた（３）を斜め上にして開け、さじなどで取り出し、再び中ぶた（３）とキャップ（４）を閉めて置いておく。
この一連の動作が人為的ではあるが、砂時計の様に中の薬品や調味料を上部から下部へ移動させ、括れ部（５）を通過するたびに固まることを防ぎ、さらさらに保つことができる。
【実施例１】
【０００７】  図３に示すように、中ぶた（３）の代わりに、穴開き中ぶた（６）を利用して調味料入れとしてもよい。
下部へ落ちた調味料を食する時には、下部のキャップ（４）を上にして開け、振り出して食し、再びキャップ（４）を閉めて置いておく。
また、図４に示すように、よりいっそう砂時計らしさを表現するために、支柱受け部材（７）と３，４本の支柱（８）を取り付けてもよい。
【図面の簡単な説明】
【０００８】
【図１】  本発明の斜視図である。
【図２】  本発明の断面図である。
【図３】  本発明の他の実施例を示す断面図である。
【図４】  本発明の他の実施例を示す斜視図である。
【符号の説明】
【０００９】      １  容器
２  出し入れ口
３  中ぶた
４  キャップ
５  括れ部
６  穴開き中ぶた
７  支柱受け部材
８  支柱
【図１】
2005289503.tif 000003
【図２】
2005289503.tif 000004
【図３】
2005289503.tif 000005
【図４】
2005289503.tif 000006
(57)【要約】【課題】    バッグに包含された気化剤を自然気化させるのに手軽に扱えて調節も中断も出来る気化方法が課題である。【解決手段】    気化剤を包含し密閉されたバッグに気化させるため窓を設ける。表側の窓のシールの開閉具合で気化量の調節を、そして裏側の窓のシールを下端から上端のストッパーまで剥がし、通気を得、剥がしたシールの粘着面を壁やガラス等に粘着し、バッグを吊ったり半固定し通気性を高める。又、各シールを戻すことにより気化を中断させることが出来課題を解決出来る。【特許請求の範囲】
【請求項１】
気化や昇華を目的にそれらの材料を包含し、密閉されたバッグやケースに開閉出来る窓を少なくとも表と裏に１つずつ設けて通気性を計る。そのことにより気化量や昇華量の調節を行うことが出来る。この様な機能を付与されたバッグやケース。
【請求項２】
裏面にある窓を開閉するためのシールを下端からストッパーのある上端まで剥がす、剥がしたシールの粘着面をそのまま固定物に粘着させ、本体を吊るす機能又は固定、半固定させる機能を付与されたバッグやケース。
【発明の詳細な説明】
【技術分野】
【０００１】  本発明は持運びも、設定も、使用も簡便で便益性も高く、小さいものは胸のポケットに入れての使用も出来るベイパラスバッグで、一種の気化器である。
【背景技術】
【０００２】  気化（昇華も含める）の現象は自然界、産業界、家庭と何処にでも存在する。人為的には、何を、どの様に、何のために気化させるかで色々な方法が講じられる。しかし、個人を対象にみた場合、適切なものが少なかった。特に、気化させるものが水以外の場合、さらなる問題がある。
【発明の開示】
【発明が解決しようとする課題】
【０００３】  バッグに入れた気化剤が使用開始までは密閉保護され、開始並びに使用は取扱いが簡便であること。気化量の調節も中断も、用法も通気性も随意でありたい。携帯使用、自動車内使用、屋内使用等、簡便かつ効率よく使用出来る様にならないかが課題である。
【課題を解決するための手段】
【０００４】  ベイパラスバッグはバッグと成形材料と気化剤とからなる。成形材料は気化剤を包含（含浸、浸漬、固定）し、かつバッグの骨材と充填材として外形を整える。気化向上のため、成形材料に多孔をもたせることも出来る。このバッグが次の機能性をもってはじめてベイパラスバッグとなる。バッグは気化剤の漏洩しない材料とする。【０００５】  機能について、バッグの一部表側と裏側に窓をあけ、通常は窓よりひとまわり大きいシールで閉じられている。しかしシールの開閉、脱着は任意である。次に裏シールを下端からストッパーのある上端部まで剥がす、剥がしたシールの粘着面をそのまま壁面やガラス等の固定物に粘着させ、本体を吊るす。表シールは全部又は一部をはがし、通気性をもたせ気化量の増加を計る。時によりシールを元に戻すことにより、気化を中断することが出来る。又、表シールで気化窓の開閉度により、気化量の調節が出来る。
この様に本発明は、携帯用、壁面用、自動車用、ハング用等と気化性物質を入れたバッグの気化状態を自由にコントロール出来ることを最も主要な特徴とするものである。